(57)【要約】【課題】周囲の状況に応じて複数の照明器具をこれらの間で調和のとれた調光を行なう照明制御システムを提供する。【解決手段】光源を有する第１照明器具２Ａ２，２Ｂ２，…、この照明器具により照明される被照明部の照度を検出する照度センサ２Ａ４，２Ｂ４，…、この照度センサにより検出された照度検出値に基づいて求めた調光度を含む光出力制御信号により第１の照明器具の光出力を制御する第１調光器２Ａ５，２Ｂ５，…およびこの第１調光器からの光出力制御信号を送信する第１通信装置２Ａ３，２Ｂ３を備えた第１街路灯２Ａ，２Ｂ，…と；光源を有する第２照明器具２ｐ２、第１通信装置から光出力制御信号を受信する第２通信装置２ｐ３およびこの第２の通信装置からの光出力制御信号により第２の照明器具の光出力を制御する第２調光器２ｐ４を備えた第２街路灯２ｐと；を具備している。【選択図】  図１
2009004279.tif 000002
【特許請求の範囲】
【請求項１】
光源を有する第１の照明器具、この照明器具により照明される被照明部の照度を検出する照度センサ、この照度センサにより検出された照度検出値に基づいて求めた調光度を含む光出力制御信号により第１の照明器具の光出力を制御する第１の光出力制御装置およびこの第１の光出力制御装置からの光出力制御信号を送信する第１の通信装置を備えた第１の照明装置と；
光源を有する第２の照明器具、第１の通信装置から光出力制御信号を受信する第２の通信装置およびこの第２の通信装置からの光出力制御信号により第２の照明器具の光出力を制御する第２の光出力制御装置を備えた第２の照明装置と；
を具備していることを特徴とする照明制御システム。
【請求項２】
第１の照明装置は、車両の交通量を検出する交通量検出センサを具備し、
第１の光出力制御装置は、この交通量検出センサの交通量検出値と照度検出値の両者に基づいて光出力制御値を求め、この光出力制御値により第１の照明器具の光出力を制御すると共に、この光出力制御信号を第１の通信装置から送信させるように構成されていることを特徴とする請求項１記載の照明制御システム。
【請求項３】
複数の第１の照明装置同士の間に第２の照明装置が配設されているときに、この第２の照明装置の第２の照明器具の調光度を、これら両側の第１の照明装置の両調光度の中間値に制御する制御手段を、具備していることを特徴とする請求項１または２記載の照明制御システム。
【請求項４】
制御手段は、第２の照明装置が複数あるときに、これら第２の照明装置の各第２の照明器具の調光度を、その両側にある各第１の照明装置からの距離に比例して徐々に変化するように制御するように構成されていることを特徴とする請求項３記載の照明制御システム。
【請求項５】
前記第１および第２の照明装置は、
各照明器具の照度を検出する照度センサを有し、
この照度センサの照度検出値が所定値を超えたときに光源が寿命末期であることを予測し通知する玉切れ予測手段
を具備していることを特徴とする請求項１ないし４に記載の照明制御システム。
【請求項６】
前記第１および第２の照明装置は、
各照明装置が点灯制御を行なった自己の光源の点灯累積時間を演算する点灯時間演算部を有し、
この点灯時間演算部により演算された点灯累積時間が所定値を超えたときに光源が寿命末期であることを予測し、通知する玉切れ予測手段と；
を具備していることを特徴とする請求項１ないし４に記載の照明制御システム。
【発明の詳細な説明】
【技術分野】
【０００１】
本発明は街路灯等照明器具の点消灯や調光を制御する照明制御システムに関する。
【背景技術】
【０００２】
従来、車道や歩道等の道路を照明する街路灯の照明制御システムの一例としては、夜間に街路灯を全光束（１００％）で点灯した後、所定時間（例えば４時間）が経過した時点で減光する調光制御または消灯に切り替えることにより、人通りや交通量の少ない深夜における電力消費量を低減するものが知られている（例えば、特許文献１参照。以下、従来技術１という）。
【０００３】
また、これら街路灯のランプ寿命による玉切れについては、その管理者が定期的に巡回して目視で確認することにより検知していた。しかし、この方法では、管理者が街路灯の玉切れの目視チェックのために定期的に巡回しなければならず、ランニングコストの増大を招く。
【０００４】
そこで、他の従来例では、照明器具と別置の照度センサにより、ランプが点灯中の室内の照度を検出し、この照度検出値が所定値を超えているときに、そのランプの玉切れの監視データを送信する遠隔照明制御システムが知られている（例えば、特許文献２参照。以下、従来技術２という）。
【０００５】
また、ランプの平均寿命を考慮して予め決められた期間毎に、ランプの全数を交換する方法（例えば、特許文献３参照。以下、従来技術３という）が知られている。
【特許文献１】特開２００３−３４７０６７号公報
【特許文献２】特開２００５−６３８０４号公報
【特許文献３】特開２００１−２１０４８１号公報
【発明の開示】
【発明が解決しようとする課題】
【０００６】
しかしながら、上記従来技術１では、街路灯の設置場所によっては、夜間の所定時間経過後の深夜に人通りや交通量が減少しない場合もあり、この場合は街路の照度が低くなり過ぎ、暗過ぎるために交通安全性が低下するという新たな課題が発生する。
【０００７】
また、これとは逆に、街路灯の周囲にある店舗等の人工照明により所要の明るさが確保されている場合には、所定時間の経過前に減光制御して節電することが可能であるにも拘らず、所定時間が経過する前には減光しないので、節電効果のさらなる向上を図ることができない。
【０００８】
そこで、これらの課題を解決するために、複数の街路灯に照度センサや交通量検出センサをそれぞれ設け、これらセンサの各検出値に応じて各街路灯をそれぞれ個別に点消灯や調光等の光出力制御を行う方法が考えられる。
【０００９】
しかし、この制御方法では、その光出力制御が各街路灯間で何らの関連もなく、バラバラに行なうことになり、調光度が街路灯毎に相違するので、道路上の明るい部分と暗い部分の差が明瞭になり、この明暗差が街路灯に沿って繰り返されるので、視感環境が悪化し、不快感が増すという新たな課題が発生する。
【００１０】
本発明はこれらの事情を考慮してなされたもので、その目的は、周囲の状況に応じて複数の照明器具をこれらの間で調和のとれた調光を行なう照明制御システムを提供することにある。
【００１１】
そして、上記従来技術２では、照度センサの検出値が外光等の影響により必ずしも正確ではなく、精度が高くないという課題がある。
【００１２】
また、上記従来技術３では、ランプ寿命が実際の点灯時間や点滅回数により変動するので、寿命末期でないランプまで、全数交換してしまうために、コストが増大するという課題がある。
【００１３】
本発明はこれらの事情を考慮してなされたもので、その目的は、ランプ切れによるランプ交換に伴うコストの低減を図ることができる照明制御システムを提供することにある。
【課題を解決するための手段】
【００１４】
請求項１に係る照明制御システムは、光源を有する第１の照明器具、この照明器具により照明される被照明部の照度を検出する照度センサ、この照度センサにより検出された照度検出値に基づいて求めた調光度を含む光出力制御信号により第１の照明器具の光出力を制御する第１の光出力制御装置およびこの第１の光出力制御装置からの光出力制御信号を送信する第１の通信装置を備えた第１の照明装置と；光源を有する第２の照明器具、第１の通信装置から光出力制御信号を受信する第２の通信装置およびこの第２の通信装置からの光出力制御信号により第２の照明器具の光出力を制御する第２の光出力制御装置を備えた第２の照明装置と；を具備していることを特徴とする。
【００１５】
請求項２に係る照明制御システムは、第１の照明装置は、車両の交通量を検出する交通量検出センサを具備し、第１の光出力制御装置は、この交通量検出センサの交通量検出値と照度検出値の両者に基づいて光出力制御値を求め、この光出力制御値により第１の照明器具の光出力を制御すると共に、この光出力制御信号を第１の通信装置から送信させるように構成されていることを特徴とする。
【００１６】
請求項３に係る照明制御システムは、複数の第１の照明装置同士の間に第２の照明装置が配設されているときに、この第２の照明装置の第２の照明器具の調光度を、これら両側の第１の照明装置の両調光度の中間値に制御する制御手段を、具備していることを特徴とする。
【００１７】
請求項４に係る照明制御システムは、制御手段は、第２の照明装置が複数あるときに、これら第２の照明装置の各第２の照明器具の調光度を、その両側にある各第１の照明装置からの距離に比例して徐々に変化するように制御するように構成されていることを特徴とする。
【００１８】
請求項５に係る照明制御システムは、前記第１および第２の照明装置は、各照明器具の照度を検出する照度センサを有し、この照度センサの照度検出値が所定値を超えたときに光源が寿命末期であることを予測し通知する玉切れ予測手段を具備していることを特徴とする
請求項６に係る照明制御システムは、前記第１および第２の照明装置は、各照明装置が点灯制御を行なった自己の光源の点灯累積時間を演算する点灯時間演算部を有し、この点灯時間演算部により演算された点灯累積時間が所定値を超えたときに光源が寿命末期であることを予測し、通知する玉切れ予測手段と；を具備していることを特徴とする。
【発明の効果】
【００１９】
請求項１に係る照明制御システムによれば、第１の光出力制御装置により、第２の照明器具の光出力、例えば調光度を、第１の照明器具の調光度と同一の調光度に制御することができる。
【００２０】
このために、複数の照明器具毎に調光度が相違しないので、照明器具毎に調光度が相違することによる視感環境の悪化を未然に防止することができる。
【００２１】
また、照度センサは、第１の照明器具のみに設け、第２の照明器具には設けなくてもよいので、その分、コスト低減を図ることができる。
【００２２】
請求項２に係る照明制御システムによれば、照度センサの照度検出値のみならず、交通量検出センサの交通量検出値の両者により光出力制御値を求め、この光出力制御値により第１，第２の照明器具の光出力を制御するので、照明器具の周囲の照度と道路の交通量の両者に共に応じた好適な調光度により道路を照明することができる。
【００２３】
これにより、節電を図りつつ交通安全性の向上を図ることができる。
【００２４】
請求項３に係る照明制御システムによれば、照度センサを備えた例えば２台の第１照明装置同士間に配設された第２の照明装置の調光度を、その両側の各第１照明装置の両調光度の中間値に制御するので、一方の第１照明装置から第２照明装置を経て他方の第１照明装置へ至る各調光度を、なだらかに変化させることかどでき、調光度の急激な変化による視感環境の悪化を未然に防止することができる。
【００２５】
請求項４に係る照明制御システムによれば、例えば２台の第１照明装置同士間に配設された複数の第２照明装置の各調光度を、これら両側の第１照明装置の調光度の中間値であっても、しかも、これら中間値が徐々に変化するように設定されているので、視感環境のさらなる向上を図ることができる。
【００２６】
請求項５に係る照明制御システムによれば、照明器具の照度検出値に基づいてランプ寿命末期を予測する玉切れ予測手段から、そのランプ寿命末期の警告が通知されるので、実際に街路灯を巡回し目視チェックすることもなく、玉切れを知ることができる。
【００２７】
このために、ランプ寿命末期を簡単かつ高精度、しかも低コストで知ることができる。しかも、ランプ寿命が尽きて不点になったことを通知するのではなく、その前の点灯可能のランプ寿命末期を知るので、このランプ寿命末期の間にランプを交換することにより、ランプ不点を招かずに引き続き点灯を続行させることができる。
【００２８】
請求項６に係る照明制御システムによれば、ランプ点灯の累積時間であり、ランプ寿命末期を予測する玉切れ予測手段から、そのランプ寿命末期の警告が通知されるので、実際に街路灯を巡回することなく、ランプ寿命末期を簡単かつ高精度、しかも低コストで知ることができる。
【発明を実施するための最良の形態】
【００２９】
以下、本発明の実施形態を添付図面に基づいて説明する。なお、複数の添付図面中、同一または相当部分には同一符号を付している。
【００３０】
図１は本発明の第１の実施形態に係る照明制御システム１の要部正面図である。照明制御システム１は、車道や歩道等の道路の幅方向両端部または一端部において、長手方向に沿って複数の街路灯２，２，…を所要のピッチで配設している。
【００３１】
これら街路灯２，２，…は、複数のグループＡ，Ｂ，…に区分されている。これらの各グループＡ，Ｂ，…は、少なくとも１台の第１の照明装置である第１街路灯２Ａ，２Ｂ，…と、複数台の第２の照明装置である第２街路灯２ｐ，２ｐ，…とをそれぞれ具備している。
【００３２】
各第１街路灯２Ａ，２Ｂ，…は、地面上に立設された所要高さの円筒または角筒状のポール２Ａ１，２Ｂ１，…、これらポール２Ａ１，２Ｂ１，…の上端部に、ほぼ直角等所要角度で固着された第１照明器具２Ａ２，２Ｂ２，…、ポール２Ａ１，２Ｂ１，…に配設された第１通信装置２Ａ３，２Ｂ３，…、照度センサ２Ａ４，２Ｂ４，…、第１調光器２Ａ５，２Ｂ５，…をそれぞれ具備している。
【００３３】
第１照明器具２Ａ２，２Ｂ２，…はＨＩＤランプ（HIGH INTENSITY DISCHARGE LAMPS）や蛍光ランプ等のランプ（光源）を具備しており、これらの点消灯や調光は第１調光器２Ａ５，２Ｂ５，…によりそれぞれ制御される。
【００３４】
照度センサ２Ａ４，２Ｂ４，…は、第１照明器具２Ａ２，２Ｂ２，…により照明される被照明部の路面等の照度を検出する。
【００３５】
第１調光器２Ａ５，２Ｂ５，…は、この照度センサ２Ａ４，２Ｂ４，…からの照度検出値に基づいて点消灯や調光度の光出力制御値を求める。すなわち、第１調光器２Ａ５，２Ｂ５は例えば照度検出値を所要の照度目標値と比較してその差を求め、さらに、この差を解消して照度検出値が照度目標値になるような調光度と点消灯を光出力制御値として求め、この光出力制御値になるように照明器具２Ａ２，２Ｂ２，…の点消灯や調光度を制御する機能を有する。
【００３６】
第１通信装置２Ａ３，２Ｂ３，…は、無線通信用のアンテナＡＮＴをそれぞれ有し、各自の第１調光器２Ａ５，２Ｂ５，…からの光出力制御値を中継可能に、同一グループＡ，Ｂの第２街路灯２ｐの通信装置にそれぞれ出力する機能を有する。
【００３７】
一方、各第２街路灯２ｐは複数あり、上記照度センサ２Ａ４，２Ｂ４を具備していない点で上記第１街路灯２Ａ，２Ｂ，…とは主に相違するが、第１街路灯２Ａ，２Ｂ，…と同様にポール２ｐ１、ＨＩＤランプ等のランプを備えた第２照明器具２ｐ２、第２通信装置２ｐ３、第２調光器２ｐ５をそれぞれ備えている。
【００３８】
各第２通信装置２ｐ３は、同一グループＡ，Ｂ，…内の上記第１通信装置２Ａ３，２Ｂ３，…から直接、または他の第２通信装置２ｐ３の中継を介して第１調光器２Ａ５，２Ｂ５，…からの点消灯や調光度の光出力制御信号を受信して自己の第２調光器２ｐ４に与え、この第２調光器２ｐ４により第２照明器具２ｐ２を点消灯や調光を行なう機能を有する。ここで、第１街路灯２Ａ，２Ｂ，…、および第２街路灯２ｐはそれぞれ固有のアドレスおよび各グループアドレスが図示しない記憶部に記憶されており、互いを識別することができる。つまり、各通信装置は、固有のアドレスまたはグループアドレスを用いて互いに通信が行なわれる。
【００３９】
したがって、各グループＡ，Ｂ，…の第１街路灯２Ａ，２Ｂ，…は、各自の照度センサ２Ａ４，２Ｂ５，…により照度を検出し、各自の第１調光器２Ａ４，２Ｂ５，…により、この照度検出値に基づいて点消灯または調光度の光出力制御値を求め、この光出力制御値になるように、各自の第１照明器具２Ａ２，２Ｂ２，…を点消灯し、または調光する。
【００４０】
そして、これら第１調光器２Ａ５，２Ｂ５，…により求めた光出力制御信号は各自の第１通信装置２Ａ３，２Ｂ３，…から各グループＡ，Ｂ，…内の第２街路灯２ｐ，２ｐ，…へそれぞれ無線送信される。
【００４１】
各第２街路灯２ｐの第２通信装置２ｐ３は、自己のグループＡ，Ｂ，…の第１通信装置２Ａ３，２Ｂ３からの光出力制御信号のみを、直接、または他の同一グループＡ，Ｂ，…の第２通信装置２ｐ３の中継を介して受信し、自己の各第２調光器２ｐ４へそれぞれ与える。
【００４２】
これにより、各第２調光器２ｐ４は、同一グループＡ，Ｂ，…内の各第１調光器２Ａ５，２Ｂ５，…により求めた光出力制御値により各第２照明器具２ｐ２を制御する。
【００４３】
したがって、Ａグループの各第２照明器具２ｐ２は、同じＡグループに属する第１照明器具２Ａ２と同一の光出力値（点消灯または調光度）に制御される。これと同様に、Ｂグループ以下の各第２照明器具２ｐ２についても、同一グループＢ，…にそれぞれ属する第１照明器具２Ｂ２，…と同一の光出力制御値に制御される。
【００４４】
このために、各照明器具２Ａ２，２Ｂ２，…、２ｐの調光度は各グループＡ，Ｂ，…毎に同一であるので、同一の調光度が所定区間続く。
【００４５】
これにより、従来例のように各照明器具２Ａ２，２Ｂ２，…、２ｐ毎に調光が変化するために、明るい区域と暗い区域が明瞭に区別され、これら明暗区域が道路の長手方向に沿って繰り返す場合の視感環境の悪化を未然に防止することができる。
【００４６】
また、この照明制御システム１によれば、各グループ２Ａ，２Ｂ，…の照度センサ２Ａ２，２Ｂ２，…の照度検出値に基づいて各照明器具２Ａ２，２Ｂ２，…、２ｐ２の光出力を制御するので、常に周囲の照度に応じた光出力制御を行なうことができる。
【００４７】
さらに、照度センサ２Ａ４，２Ｂ４，…は各グループ２Ａ，２Ｂ，…毎に少なくとも１台ずつ設ければよく、各街路灯２毎にそれぞれ設ける必要が無いので、照度センサ２Ａ４，２Ｂ４，…の個数を減らしてコスト低減を図ることができる。
【００４８】
図２は本発明の第２実施形態に係る照明制御システム１Ａの要部平面図である。この照明制御システム１Ａは、複数（図２では２台）の第１照明装置２Ａ，２Ｂ間において複数の第２照明装置２ｐ，２ｐ，…が列状に配設されている場合に、これら第２照明装置２ｐ，２ｐ，…の調光度を、これらの両側にある第１照明装置２Ａ，２Ｂの両調光度（例えば図２では５０％と７５％）の中間値であって、しかも、これら両側の第１照明装置２Ａ，２Ｂからの距離に比例して徐々に調光度が相違するように制御する点に特徴がある。
【００４９】
このために、例えば調光度が５０％のＡグループの第１照明装置２Ａから、同７５％のＢグループの第１照明装置２Ｂまで調光度が急激に変化せずにＡグループの第１照明装置２ＡからＢグループの第１照明装置２Ｂまで調光度が５％ずつ徐々に上昇して行くので、調光度の変化をなだらかにすることができる。このために、調光度が急激に変化することによる不快感や視感環境の低下を抑制することができる。
【００５０】
なお、上記第１，第２実施形態に係る照明制御システム１，１Ａにおける照度センサ２Ａ４，２Ｂ４，…を、図示しない光学式や電波式等の交通量検出センサに置換してもよい。この場合は第１調光器２Ａ５，２Ｂ５，…を、この交通量検出センサにより検出された交通量検出値に基づいて所望の点消灯または調光度を求めるように構成する。
【００５１】
この構成によれば、道路の交通量に応じた好適な調光度により道路を照明できるので、節電を図りつつ主に交通安全性を向上させることができる。例えば、単位時間に通過する車の量が多い場合には調光度を維持し、渋滞時には調光度を下げることができる。
【００５２】
また、この交通量検出センサを上記照度センサ２Ａ４，２Ｂ４，…と共に設け、これら交通量検出センサにより検出された交通量検出値と、照度センサ２Ａ４，２Ｂ４，…により検出された照度検出値の両者に基づいて所望の点消灯または調光度等の光出力制御値を求めるように構成してもよい。
【００５３】
これによれば、道路の交通量と照度の両者に共に応じた好適な調光度により道路を照明できるので、節電を図りつつ交通安全性の向上を図ることができる。
【００５４】
図３は本発明の第３実施形態に係る照明制御システム１Ｂの一部切欠正面図である。この照明制御システム１Ｂは、第３の照明装置である第３街路灯２Ｘを具備している。
【００５５】
この第３街路灯２Ｘは、地面等に立設される所要高さの円柱状または角柱状のポール２Ｘ１の上端部に、照明器具２Ｘ２を直角等所要角で固着している。照明器具２Ｘ２は、そのＨＩＤランプ等所要ランプの近傍に照度センサ２Ｘ３を配設している。
【００５６】
また、ポール２Ｘ１には、アンテナＡＮＴを備えた通信装置２Ｘ４と、マイクロプロセッサ等からなる制御装置２Ｘ５とを設けている。
【００５７】
制御装置２Ｘ５は、上記第１，第２調光器２Ａ５，２Ｂ５，…、２ｐ４とほぼ同様の点消灯、調光機能と、通信装置２Ｘ４の通信機能を中継可能に制御する通信制御機能と、第１の玉切れ予測手段とを具備している。
【００５８】
図４はこの第１の玉切れ予測手段の処理プログラムのフローチャートであり、図中、Ｓに数字を付した符号はこのフローチャートの各ステップを示す。
【００５９】
すなわち、第１の玉切れ予測手段は、照度センサ２Ｘ３により検出された照度検出値が予め設定したランプ寿命末期時の照度まで低下したときに、玉切れ予測を行なう点に特徴がある。すなわち、第１の玉切れ予測手段は、その処理プログラムをスタートさせた後、まずＳ１で、通信装置２Ｘ４により受信された制御信号を解読して照明器具２Ｘ２を点灯させる要求である街路灯点灯制御要求があるか否か繰り返し判断し、ＹＥＳのときに、Ｓ２で照明器具２Ｘ２を点灯させる。この点灯要求は、照度センサ２Ｘ３の照度検出値を読み込む制御装置２Ｘ５自体から生成させ出力してもよい。また、通信装置２Ｘ４により受信した図示しない中央制御装置や他の第１調光器２Ａ５，２Ｂ５，…から受信した光出力制御信号中の点灯制御信号でもよい。
【００６０】
次にＳ３で、このときの照度検出値を照度センサ２Ｘ３から読み込む。
【００６１】
この後、Ｓ４で、この読み込んだ照度検出値を予め設定してある所要の照度基準値と比較する。 照度基準値は、一般的なランプの寿命末期が初期照度の７５〜８０％程度の照度レベルであるので、ランプ取付時に全光束点灯させたときの照度検出値の例えば８０％前後に設定されている。
【００６２】
そして、この照度基準値よりも照度検出値の方が低いとき（ＹＥＳ）は、ランプ寿命末期に達したと判断して次のＳ５へ進み、ＮＯのときはＳ６へジャンプする。
【００６３】
Ｓ５では、玉切れ警告を通信装置２Ｘ４から監視装置の一例である図示しない中央制御装置へ直接、または図１，図２で示す複数の通信装置２Ａ３，２Ｂ３，…、２ｐ３の中継を介して自己に記憶されている固有のアドレスとともに送信する。
【００６４】
一方、Ｓ６では、街路灯消灯制御要求があるか否かを繰り返し判断する。この消灯制御要求も第３街路灯２Ｘ自体の制御装置２Ｘ５から生成出力されたものでもよく、または他の街路灯２の通信装置２Ａ３，２Ｂ３，…、２ｐ３から直接または中継を介して受信した制御信号でもよい。
【００６５】
そして、次のＳ７では、この街路灯消灯制御要求に従ってランプを消灯させる。この後、再びＳ１へ戻り、以下のステップを繰り返す。
【００６６】
したがって、この照明制御システム１Ｂによれば、ランプの寿命末期の警告が自動的に中央制御装置に送信され通知されるので、監視員が街路灯２の玉切れの目視チェックのために巡回する必要がなく、玉切れによるランプ交換に伴うコストを低減することができる。
【００６７】
また、玉切れを判断するための照度基準値をランプ初期照度の７０〜８０％程度に設定してランプ寿命が尽きるまでに余裕を持たせているので、玉切れの前にランプを交換することにより、玉切れによる不点灯を未然に防止することができるうえに、玉切れ予測精度の向上を図ることができる。
【００６８】
図５は本発明の第４実施形態に係る照明制御システム１Ｃの一部切欠正面図である。この照明制御システム１Ｂは、第４の照明装置である第４街路灯２Ｙを具備している。
【００６９】
この第４街路灯２Ｙは、地面等に立設される所要高さの円柱状または角柱状のポール２Ｙ１の上端部に、照明器具２Ｙ２を直角等所要角で固着している。
【００７０】
また、ポール２Ｙ１には、アンテナＡＮＴを備えた通信装置２Ｙ１と、マイクロプロセッサ等からなる制御装置２Ｙ５と、を設けている。
【００７１】
制御装置２Ｙ５は、上記第１，第２調光器２Ａ５，２Ｂ５，…、２ｐ４とほぼ同様の点消灯、調光機能と、通信装置２Ｙ４の通信機能を中継可能に制御する通信制御機能と、第２の玉切れ予測手段とを具備している。
【００７２】
図４はこの第２の玉切れ予測手段の処理プログラムのフローチャートであり、図中、Ｓに数字を付した符号はこのフローチャートの各ステップを示す。
【００７３】
すなわち、第２の玉切れ予測手段は、照明器具２Ｙ２のランプの累積点灯時間が予め設定したランプ寿命末期までの累積点灯時間に達したときに、ランプ寿命末期の予測を行なう点に特徴がある。
【００７４】
つまり、第２の玉切れ予測手段は、その処理プログラムをスタートさせた後、まずＳ１１で、通信装置２Ｙ４により受信された制御信号を解読して照明器具２Ｙを点灯させる要求である街路灯点灯制御要求があるか否か繰り返し判断し、ＹＥＳのときに、Ｓ１２で照明器具２Ｙを点灯させる。この点灯要求は、通信装置２Ｙ４により受信した図示しない中央制御装置や他の第１調光器２Ａ５，２Ｂ５，…から受信した光質制御装置中の点灯制御信号でもよい。
【００７５】
この後、Ｓ１３で、ランプ点灯とほぼ同時にランプの点灯時間の計測を開始し、次のＳ１４で、街路灯消灯制御要求があるか否か繰り返し判断する。この街路灯消灯制御要求は第４街路灯２Ｙ自体の制御装置２Ｙ５により生成させてもよく、通信装置２Ｙ４により受信した他の街路灯２，２，…の通信装置２Ａ４，２Ｂ４，…、２ｐ４のいずれから直接、またはこれらの中継を介して受信した街路灯消灯制御要求信号でもよい。
【００７６】
このＳ１４で街路灯消灯制御要求があったとき（ＹＥＳ）は、次のＳ１５で、第４街路灯２Ｙの照明器具２Ｙ２のランプを消灯させ、さらに次のＳ１６で、点灯時間の計測を終了させる。
【００７７】
この後Ｓ１７で、この計測した点灯時間データを通信装置２Ｙ４から図示しない中央制御装置へ送信させ、第２の玉切れ予測手段の点灯時間計測データをクリアし、次の点灯時間を計測するために再びＳ１１へ戻り、以下のステップを繰り返す。
【００７８】
一方、中央制御装置は、第４街路灯２Ｙから受信した点灯時間計測データをメモリに記録し、これ以後の点灯時間計測データを加算して累積点灯時間を演算する。この累積点灯時間が予め設定した所要の基準時間に達したと判断したときに玉切れ警告を通知する。
【００７９】
なお、この基準時間は、一般的なランプ寿命時間の７０〜８０％程度に設定することが望ましい。これによれば、玉切れ警告を通知した後も暫時点灯が可能であるので、ランプ交換までに不点に陥る事態を回避することができる。
【００８０】
また、この照明制御システム１Ｃによっても、玉切れ警告を自動的に通知することができるので、玉切れの目視チェックによる精度低下とコストアップを未然に防止することができる。
【００８１】
なお、この実施形態では、中央制御装置によりランプの累積点灯時間を演算し、玉切れ予測警告通知まで行なうように構成した場合について説明したが、本発明はこれに限定されるものではなく、例えば、この累積点灯時間の演算から玉切れ予測警告通知までを第４街路灯２Ｙの制御装置２Ｙ５により実行するように構成し、中央制御装置はこの玉切れ予測警告通知のみを受信するように構成してもよい。
【図面の簡単な説明】
【００８２】
【図１】本発明の第１の実施形態に係る照明制御システムの要部正面図。
【図２】本発明の第２の実施形態に係る照明制御システムの要部正面図。
【図３】本発明の第３の実施形態に係る照明制御システムの要部正面図。
【図４】図３で示す制御装置の第１玉切れ予測手段の処理プログラムのフローチャート。
【図５】本発明の第４の実施形態に係る照明制御システムの要部正面図。
【図６】図４で示す制御装置の第２玉切れ予測手段の処理プログラムのフローチャート。
【符号の説明】
【００８３】
１，１Ａ，１Ｂ，１Ｃ…照明制御システム、２…街路灯、２Ａ，２Ｂ…第１街路灯、２ｐ…第２街路灯、２Ａ１，２Ｂ１，２ｐ１，２Ｘ１，２Ｙ１…ポール、２Ａ２，２Ｂ２，２ｐ２，２Ｘ２，２Ｙ２…照明器具、２Ａ３，２Ｂ３，２ｐ３，２Ｘ４，２Ｙ４…通信装置、２Ａ４，２Ｂ４…照度センサ、２Ａ５，２Ｂ５…第１調光器、２ｐ４…第２調光器、２Ｘ３…照度センサ、２Ｘ５，２Ｙ５…制御装置。
【図１】
2009004279.tif 000003
【図２】
2009004279.tif 000004
【図３】
2009004279.tif 000005
【図４】
2009004279.tif 000006
【図５】
2009004279.tif 000007
【図６】
2009004279.tif 000008